(57)【要約】【課題】近年、プリント配線板においては、伝送される信号の周波数が１ＧＨｚを超えるようになってきた。そのため、プリント配線板において、伝送線路による伝送信号の減衰を考慮した構成が要求されている。本発明は、伝送線路による信号の減衰特性が考慮されたプリント配線板を、簡単な構成により得ることを課題とする。【解決手段】信号が流れる伝送線路８を有するプリント配線板１において、伝送線路８の後段に、伝送線路８の減衰特性とは逆の減衰特性を有するイコライジング回路９が設けられているプリント配線板である。また、イコライジング回路４は、抵抗、コンデンサ及びインダクタからなる。【選択図】図１
2007115856.tif 000002
【特許請求の範囲】
【請求項１】
信号が流れる伝送線路を有するプリント配線板において、上記伝送線路の後段に、上記伝送線路の減衰特性とは逆の減衰特性を有するイコライジング回路が設けられていることを特徴とするプリント配線板。
【請求項２】
請求項１に記載のプリント配線板において、前記イコライジング回路は、抵抗、コンデンサ及びインダクタからなることを特徴とするプリント配線板。
【発明の詳細な説明】
【技術分野】
【０００１】
この発明は、伝送線路による信号の減衰特性が考慮されたプリント配線板に関する。
【背景技術】
【０００２】
近年、プリント配線板においては、伝送される信号の周波数が１ＧＨｚを超えるようになってきた。そのため、プリント配線板において、伝送線路による伝送信号の減衰を考慮した構成が要求されている（例えば、特許文献１を参照）。
【特許文献１】特開２００３−２４９７３３号公報
【発明の開示】
【発明が解決しようとする課題】
【０００３】
前記特許文献１に記載の技術は、製造が容易ではなく、コスト高となるという問題がある。そこで、本発明は、伝送線路による信号の減衰特性が考慮されたプリント配線板を、簡単な構成により得ることを課題とする。
【課題を解決するための手段】
【０００４】
上記課題を解決するための請求項１に記載の発明は、信号が流れる伝送線路を有するプリント配線板において、伝送線路の後段に、伝送線路の減衰特性とは逆の減衰特性を有するイコライジング回路が設けられているプリント配線板である。
【０００５】
請求項２に記載の発明は、請求項１に記載のプリント配線板において、イコライジング回路は、抵抗、コンデンサ及びインダクタからなるプリント配線板である。
【発明の効果】
【０００６】
請求項１に記載の発明によれば、信号が流れる伝送線路を有するプリント配線板において、伝送線路の後段に、伝送線路の減衰特性とは逆の減衰特性を有するイコライジング回路が設けられているプリント配線板としたので、このプリント配線板は、伝送線路に信号が流れる際に、伝送線路により信号が減衰しても、イコライジング回路により、信号の減衰が補正されるという効果がある。
【０００７】
請求項２に記載の発明によれば、請求項１に記載のプリント配線板において、イコライジング回路は、抵抗、コンデンサ及びインダクタからなることとしたので、イコライジング回路を簡単な構成により得ることができる。抵抗、コンデンサ及びインダクタは、一般的に用いられている部品であるので、このイコライジング回路を有するプリント配線板を容易に得ることができる。
【発明を実施するための最良の形態】
【０００８】
次に本発明の実施形態を説明する。図１は本発明のプリント配線板１の回路構成図である。このプリント配線板１は、信号が流れる伝送線路８を有するプリント配線板１であって、伝送線路８の後段に、伝送線路８の減衰特性とは逆の減衰特性を有するイコライジング回路４が設けられている。また、このイコライジング回路４は、抵抗、コンデンサ及びインダクタからなるものである。
【０００９】
以下に、詳細を説明する。図１を参照すると、このプリント配線板１は、信号入力部２、信号処理部３、イコライジング回路４、アンプ５及び出力部６を備え、さらに、これらは伝送線路７、８、９及び１０で接続されている。
【００１０】
信号入力部２は、他から送られてきた信号をこのプリント配線板１に入力するものであり、この入力信号は、伝送線路７を介して信号処理部３に送られる。
【００１１】
信号処理部３は、設定された回路構成に基づき、入力信号を演算処理するものである。この回路構成は、プリント配線板１に求められる機能により設定されるもので、従来公知の技術を適用すればよい。続いて、入力信号は信号処理部３で演算処理された後、出力信号として伝送線路８に流される。
【００１２】
次に、図２を参照すると、図２は伝送線路８の減衰特性図であって、横軸に信号の周波数を、縦軸に減衰量を示しす。さらに、周波数の高低及び減衰量の大小は、それぞれ図２に示すとおりである。この伝送線路８に出力信号が流れる際に、図２に示す伝送線路８の減衰特性により、出力信号はその高周波帯域が減衰する。減衰量は、高い周波数帯域ほど大きい。
【００１３】
図３を参照すると、図３はイコライジング回路４の回路図であって、このイコライジング回路４は、抵抗Ｒ１〜Ｒ５、コンデンサＣ及びインダクタＬとからなる。このイコライジング回路４は、コンデンサＣにより、設定された周波数より高い周波数帯域の信号を通過させるとともに、抵抗Ｒ１〜Ｒ５により、信号の減衰量を設定している。また、インダクタＬとを適宜選択することにより、このイコライジング回路４の特性インピーダンスと、伝送線路８の特性インピーダンスとを整合させている。
【００１４】
例えば、図１において、伝送線路８を、特性インピーダンスが５０Ωで、長さが１ｍｍの差動配線とし、抵抗Ｒ１〜Ｒ５、コンデンサＣ及びインダクタＬを下記の通りとすることにより、特性インピーダンスが５０Ωのイコライジング回路４とすることができる。
Ｒ１＝５０Ω
Ｒ２＝６．１Ω
Ｒ３＝４３Ω
Ｒ４＝４３０Ω
Ｒ５＝５６Ω
Ｃ＝２ｐＦ
Ｌ＝５ｎＨ
【００１５】
図４を参照すると、図４はイコライジング回路４の減衰特性図であって、横軸に信号の周波数を、縦軸に減衰量を示す。周波数の高低及び減衰量の大小は、それぞれ図４に示すとおりである。イコライジング回路４の減衰特性は、伝送線路８の減衰特性と逆である。
【００１６】
従って、伝送線路８に流れる出力信号は、伝送線路８の減衰特性により高周波帯域が減衰するものの、この出力信号は、イコライジング回路４の減衰特性により、出力信号が補正されるので、イコライジング回路４を通過した出力信号は、低周波帯域から高周波帯域にかけてフラットな特性である信号となる。
【００１７】
この場合において、イコライジング回路４を通過した出力信号は、信号電圧が低くなっている。そのため、イコライジング回路４の後段にはアンプ５が設けられており、このアンプ５により、出力信号を必要な電圧まで信号を昇圧した後、信号出力部６に出力信号を送る。この信号出力部６から、他のユニットに出力信号が送られる。
【００１８】
プリント配線板１においては、イコライジング回路４の抵抗Ｒ１〜Ｒ５、コンデンサＣ及びインダクタＬは、チップ部品を使用することができる。これらチップ部品を採用する場合は、これらを実装するためのフットプリントが設けられる。
【００１９】
この場合において、プリント配線板１が内層にべたプレーン層（図示せず）を有する多層プリント配線板であって、イコライジング回路の直下の層に、このべたプレーン層がある場合、フットプリントとべたプレーン層との間に、寄生容量が生じる。すると、この寄生容量により、信号の損失が大きくなるため、寄生容量の発生を抑制するために、これらフットプリントの直下に、べたプレーン層の抜き部を設けるとよい。
【図面の簡単な説明】
【００２０】
【図１】本発明のプリント配線板の回路構成図。
【図２】伝送線路８の減衰特性図。
【図３】イコライジング回路の回路図。
【図４】イコライジング回路の減衰特性図。
【符号の説明】
【００２１】
１  プリント配線板
２  信号入力部
３  信号処理部
４  イコライジング回路
５  アンプ
６  出力部
７  伝送線路
８  伝送線路
９  伝送線路
１０  伝送線路
【図１】
2007115856.tif 000003
【図２】
2007115856.tif 000004
【図３】
2007115856.tif 000005
【図４】
2007115856.tif 000006